Podtech/llm-jp-corpus-v4-ja_patent huggingface dataset:
【手続補正書】
【提出日】平成31年3月29日(2019.3.29)
【手続補正１】
【補正対象書類名】特許請求の範囲
【補正対象項目名】全文
【補正方法】変更
【補正の内容】
【特許請求の範囲】
【請求項１】
複数コマの図柄を可変表示させる複数の可変表示要素を有し、
遊技媒体の投入下における可変表示開始操作に基づいて、内部抽せん用の乱数値を抽出し、予め定義した複数の当せんエリアに対する抽出した前記乱数値の属否により当せんエリアに含まれる、小役及び特別役を含む役の当否を決定する内部抽せんを実行する内部抽せん手段と、
前記可変表示要素の可変表示を、対応する停止操作に基づいて各停止させ、所定の有効ラインに前記内部抽せん手段により当せんと決定した当せんエリアに含まれる役に対応した図柄の組合せの表示を許容させる可変表示制御手段と、
一般中状態と、前記特別役に当せんした場合に移行する内部中状態と、前記有効ラインに前記特別役の図柄の組合せを表示した場合に移行する作動中状態と、の間で遊技状態を移行させる遊技状態移行手段と、を含み、
前記小役には、遊技媒体の投入数よりも高い配当である複数の高配当役を含み、
前記内部抽せん手段は、
前記一般中状態及び前記内部中状態において、複数の前記高配当役が重複せずに他の小役と重複当せんする複数の第１当せんエリアが存在するように前記内部抽せんを行い、
前記作動中状態において、複数の前記高配当役が重複して当せんする第２当せんエリアが存在するように前記内部抽せんを行い、
前記作動中状態における前記内部抽せんで前記第２当せんエリアに当せんする確率は、前記一般中状態及び前記内部中状態における前記内部抽せんで前記複数の第１当せんエリアのいずれかに当せんする確率よりも低く、
前記作動中状態における前記内部抽せんでの全ての小役のそれぞれの当せん確率は、前記一般中状態及び前記内部中状態における前記内部抽せんでの全ての小役のそれぞれの当せん確率以上であり、
前記作動中状態における前記内部抽せんで小役全体の当せん確率は、前記一般中状態及び前記内部中状態における前記内部抽せんでの全ての小役の当せん確率よりも高く、
第１状態と、
特定役を入賞させるための適合停止操作情報を遊技者に報知させる補助遊技を作動させる第２状態と、
前記第２状態が終了した後、前記第２状態よりも遊技者にとって有利でなく、かつ前記第１状態よりも遊技者にとって有利な第３状態と、を実行可能にした、
ことを特徴とする遊技機。
【請求項２】
前記第３状態において、所定条件下で当初に設定した遊技期間より短い期間で終了する、
ことを特徴とする請求項１に記載の遊技機。
【請求項３】
前記第３状態において、前記第２状態の実行が確定した後に前記第３状態を継続し、前記第２状態の実行とは別の特典付与を実行可能である、
ことを特徴とする請求項１又は２に記載の遊技機。
【手続補正２】
【補正対象書類名】明細書
【補正対象項目名】０００８
【補正方法】変更
【補正の内容】
【０００８】
図面の符号を括弧内に付記して例示する。
本遊技機は、
複数コマの図柄を可変表示させる複数の可変表示要素（左リール１Ｌ，中リール１Ｃ，右リール１Ｒ）を有し、
遊技媒体の投入下における可変表示開始操作に基づいて、内部抽せん用の乱数値を抽出し、予め定義した複数の当せんエリアに対する抽出した前記乱数値の属否により当せんエリアに含まれる、小役及び特別役を含む役の当否を決定する内部抽せんを実行する内部抽せん手段（Ｋ）と、
前記可変表示要素の可変表示を、対応する停止操作に基づいて各停止させ、所定の有効ラインに前記内部抽せん手段により当せんと決定した当せんエリアに含まれる役に対応した図柄の組合せの表示を許容させる可変表示制御手段（リール制御手段Ｖ）と、
一般中状態と、前記特別役に当せんした場合に移行する内部中状態と、前記有効ラインに前記特別役の図柄の組合せを表示した場合に移行する作動中状態と、の間で遊技状態を移行させる遊技状態移行手段（Ｊ）と、を含み、
前記小役には、遊技媒体の投入数よりも高い配当である複数の高配当役を含み、
前記内部抽せん手段は、
前記一般中状態及び前記内部中状態において、複数の前記高配当役が重複せずに他の小役と重複当せんする複数の第１当せんエリアが存在するように前記内部抽せんを行い、
前記作動中状態において、複数の前記高配当役が重複して当せんする第２当せんエリアが存在するように前記内部抽せんを行い、
前記作動中状態における前記内部抽せんで前記第２当せんエリアに当せんする確率は、前記一般中状態及び前記内部中状態における前記内部抽せんで前記複数の第１当せんエリアのいずれかに当せんする確率よりも低く、
前記作動中状態における前記内部抽せんでの全ての小役のそれぞれの当せん確率は、前記一般中状態及び前記内部中状態における前記内部抽せんでの全ての小役のそれぞれの当せん確率以上であり、
前記作動中状態における前記内部抽せんで小役全体の当せん確率は、前記一般中状態及び前記内部中状態における前記内部抽せんでの全ての小役の当せん確率よりも高く、
第１状態と、
特定役を入賞させるための適合停止操作情報を遊技者に報知させる補助遊技を作動させる第２状態と、
前記第２状態が終了した後、前記第２状態よりも遊技者にとって有利でなく、かつ前記第１状態よりも遊技者にとって有利な第３状態と、を実行可能にしたことを特徴とする。
「可変表示要素」は、リール、ベルト、画像を含む。「遊技媒体」は、遊技メダル、遊技球、貯留装置の電磁的記録を含む。
【手続補正３】
【補正対象書類名】明細書
【補正対象項目名】０００９
【補正方法】変更
【補正の内容】
【０００９】
以上の遊技機において、
前記第３状態において、所定条件下で当初に設定した遊技期間より短い期間で終了する。
【手続補正４】
【補正対象書類名】明細書
【補正対象項目名】００１０
【補正方法】変更
【補正の内容】
【００１０】
また、以上の遊技機において、
前記第３状態において、前記第２状態の実行が確定した後に前記第３状態を継続し、前記第２状態の実行とは別の特典付与を実行可能である。
【手続補正５】
【補正対象書類名】明細書
【補正対象項目名】００１１
【補正方法】削除
【補正の内容】
【手続補正６】
【補正対象書類名】明細書
【補正対象項目名】００１２
【補正方法】削除
【補正の内容】
【誤訳訂正書】
【提出日】令和1年6月18日(2019.6.18)
【誤訳訂正１】
【訂正対象書類名】特許請求の範囲
【訂正対象項目名】全文
【訂正方法】変更
【訂正の内容】
【特許請求の範囲】
【請求項１】
アイオノマー組成物を有する内側層と、上記内側層を包囲し、上記内側層と隣接する、ポリウレタン、ポリ尿素、またはポリウレタン・ポリ尿素ハイブリッドの組成物を有するカバー層とを有するゴルフボールにおいて、
上記内側層および上記カバー層は、圧縮成型、射出成型、およびキャスティングからなるグループから選択される成型プロセスにより形成され、
上記カバー層のみが、さらに、当該カバー層の中の成分を架橋し結合する官能基に加えて上記カバー層および上記内側層を結合するのに有益な十分な官能基を有する、少なくとも１つのシラン含有接着助長剤を、０．１ｗｔ％から５．０ｗｔ％の量だけ全体に渡って有し、かつ、
上記内側層および上記カバー層は、それらの界面において、たった１つの接着助長剤によっても表面処理されないことを特徴とするゴルフボール。
【請求項２】
ゴルフボール製造方法において、
アイオノマー組成物を有する内側層を準備するステップと、
ポリウレタン、ポリ尿素、またはポリウレタン・ポリ尿素ハイブリッドの組成物を有するカバー層を、上記内側層に隣接させ、その周りに形成するステップとを有し、
上記内側層および上記カバー層は、圧縮成型、射出成型、およびキャスティングからなるグループから選択される成型プロセスにより形成され、
上記カバー層のみが、さらに、当該カバー層の中の成分を架橋し結合する官能基に加えて上記カバー層および上記内側層を結合するのに有益な十分な官能基を有する、少なくとも１つのシラン含有接着助長剤を、０．１ｗｔ％から５．０ｗｔ％の量だけ全体に渡って有し、かつ、
上記内側層および上記カバー層は、それらの界面において、たった１つの接着助長剤によっても表面処理されないことを特徴とするゴルフボール製造方法。
【誤訳訂正２】
【訂正対象書類名】明細書
【訂正対象項目名】００３４
【訂正方法】変更
【訂正の内容】
【００３４】
この発明のゴルフボールにおいては、第１層の外側表面が、第２層の内側表面と、両層の界面または境界において直接に相互作用し、２つの層の一方が全層組成物の約０．１ｗｔ％から約５ｗｔ％の量だけ全体に渡ってシラン含有接着助長剤を有するときに、強力な層間接着を実現する。この発明のゴルフボールにおいては、シラン含有接着助長剤が、層全体に渡って含まれ、当該層および隣接する異なるゴルフボール層の間に強固な結合を促進し、形成するのに利用できる官能基を十分な量だけ有し、それにもかかわらず、当該層の内部において含有物の間の架橋または結合を容易にすることをもっぱらにする任意の官能基を有する。
【誤訳訂正３】
【訂正対象書類名】明細書
【訂正対象項目名】００４９
【訂正方法】変更
【訂正の内容】
【００４９】
同一のポリブタジエンをベースにしたコアの外側直径は１．５５０インチであり、同一の圧縮、８０〜９０を有し、アイオノマー樹脂ブレンドから形成されたケーシング層で包囲され、その外側直径が１．６２インチであり、厚さが０．０３５インチである。アイオノマー樹脂はＤｕｐｏｎｔ社から入手可能である。
【誤訳訂正４】
【訂正対象書類名】明細書
【訂正対象項目名】００８３
【訂正方法】変更
【訂正の内容】
【００８３】
この発明のポリ尿素組成物およびポリ尿素／ウレタン組成物を製造するのに採用できる２つの基本方法、ａ）ワンショット法、およびｂ）プレポリマー法がある。ワンショット法では、イソシアネート、アミン末端化合物、およびアミン末端硬化剤が１ステップで反応させられる。他方、プレポリマー法では、イソシアネートとアミン末端化合物との間で第１の反応が行われポリ尿素プレポリマーが製造され、つぎの反応がこのプレポリマーとアミン末端硬化剤との間で行われる。イソシアネートとアミン末端ポリカプロラクトンとの間の反応の結果として、ポリ尿素プレポリマー中にある程度の未反応ＮＣＯ基が残る。プレポリマーは１４％未満のＮＣＯ基しか含んではならない。好ましくは、プレポリマーは８．５％以下の未反応ＮＣＯ基、より好ましくは２．５％から８％、最も好ましくは５．０％から８．０％の未反応ＮＣＯ基しか伴わない。未反応のイソシアネート基の重量％が増大していくと、組成物の硬度も一般的に増大していく。
【手続補正書】
【提出日】令和1年8月20日(2019.8.20)
【手続補正１】
【補正対象書類名】明細書
【補正対象項目名】００５１
【補正方法】変更
【補正の内容】
【００５１】
図７に従う構成グループは、図１から図５に従うそれぞれの構成グループに対して追加的に、図７に概略的に示されているリフト装置４９を有している。リフト装置４９は空圧シリンダとして設計されていてもよい。リフト装置４９は中央制御装置３９を介して制御可能である。リフト装置４９はボビンハウジング２２の底部とボビン２２ａの下方の底部壁の間に配設されている。リフト装置４９を介して、図２に示唆されている移動経路５０に沿った、ボビンハウジング２２に対するボビン２２ａのリフト移動が達成され得る。ボビンハウジング２２に対してボビン２２ａが持ち上げられた状態位置では、ボビン２２ａのカバー壁部５１は、縁側で、これに対面するボビン収容部５２を超えて、ボビンハウジング２２の上側で、０．５ｍｍよりも長く、例えば１ｍｍよりも長く突出している。
【手続補正２】
【補正対象書類名】図面
【補正対象項目名】図６
【補正方法】変更
【補正の内容】
【図６】
2017099875.tif 000001
【手続補正３】
【補正対象書類名】図面
【補正対象項目名】図８
【補正方法】変更
【補正の内容】
【図８】
2017099875.tif 000002
【手続補正書】
【提出日】平成30年11月8日(2018.11.8)
【手続補正１】
【補正対象書類名】特許請求の範囲
【補正対象項目名】全文
【補正方法】変更
【補正の内容】
【特許請求の範囲】
【請求項１】
発光部及び前記発光部に電力を供給する電源部を収容し、前記発光部によって発せられる光をケース外部に出射可能な出射部が形成された第１ケースと、
光をケース内部に導入可能な入射部が形成され、前記入射部を通してケース内部に導入された光で照明される被照明部が設けられた第２ケースと、
を備え、
第１ケースと第２ケースとは、前記出射部と前記入射部とが非対向状態となる第１形態と、前記出射部と前記入射部とが対向状態となる第２形態と、の間で変形可能に連結されている発光玩具。
【請求項２】
請求項１記載の発光玩具であって、
前記第１形態において、前記出射部は露出している発光玩具。
【請求項３】
請求項１又は２記載の発光玩具であって、
前記第２形態において、前記被照明部を正面から見る視認方向と、前記出射部から前記入射部に入射する光の光軸方向とは異なる発光玩具。
【手続補正２】
【補正対象書類名】明細書
【補正対象項目名】０００６
【補正方法】変更
【補正の内容】
【０００６】
本発明に係る発光玩具は、発光部及び前記発光部に電力を供給する電源部を収容し、前記発光部によって発せられる光をケース外部に出射可能な出射部が形成された第１ケースと、光をケース内部に導入可能な入射部が形成され、前記入射部を通してケース内部に導入された光で表示部背面側から照明されることによって表示を行う表示部を収容した第２ケースと、を備え、第１ケースと第２ケースとは、前記出射部と前記入射部とが非対向状態となる第１形態と、前記出射部と前記入射部とが対向状態となる第２形態と、の間で変形可能に連結されていることを特徴とする。また、本発明に係る発光玩具は、発光部及び前記発光部に電力を供給する電源部を収容し、前記発光部によって発せられる光をケース外部に出射可能な出射部が形成された第１ケースと、光をケース内部に導入可能な入射部が形成され、前記入射部を通してケース内部に導入された光で照明される被照明部が設けられた第２ケースと、を備え、第１ケースと第２ケースとは、前記出射部と前記入射部とが非対向状態となる第１形態と、前記出射部と前記入射部とが対向状態となる第２形態と、の間で変形可能に連結されていることを特徴とする。
【手続補正３】
【補正対象書類名】明細書
【補正対象項目名】０００８
【補正方法】変更
【補正の内容】
【０００８】
また、本発明に係る発光玩具においては、前記第２形態において、前記表示部を正面から見る視認方向と、前記出射部から前記入射部に入射する光の光軸方向とは異なっていてもよい。また、本発明に係る発光玩具においては、前記第２形態において、前記被照明部を正面から見る視認方向と、前記出射部から前記入射部に入射する光の光軸方向とは異なっていてもよい。
【手続補正書】
【提出日】令和1年7月22日(2019.7.22)
【手続補正１】
【補正対象書類名】特許請求の範囲
【補正対象項目名】全文
【補正方法】変更
【補正の内容】
【特許請求の範囲】
【請求項１】
座位姿勢のチェアポジションと仰臥位姿勢のベッドポジションとの間で変更可能で、使用者を支持できる支持台と、
前記支持台を支持する架台と、
前記支持台の左右方向の側端部に配置されるアームレストと、
前記支持台が前記ベッドポジションであるとき、前記支持台よりも上方に突出し、前記支持台の左右方向の側端部に配置され、前記架台に支持される規制部と、を備える身体支持装置。
【請求項２】
前記支持台が前記ベッドポジションであるとき、前記規制部が前記アームレストよりも後側に位置する請求項１に記載の身体支持装置。
【請求項３】
前記支持台が前記チェアポジションであるとき、前記規制部が前記支持台の背もたれよりも後側に位置する請求項１または２に記載の身体支持装置。
【請求項４】
前記支持台が前記ベッドポジションであるとき、前記規制部のうち、前記支持台から上方に突出する部分が、鉛直方向よりも前後方向に大きい請求項１から３のいずれか１項に記載の身体支持装置。
【手続補正書】
【提出日】平成31年2月19日(2019.2.19)
【手続補正１】
【補正対象書類名】特許請求の範囲
【補正対象項目名】全文
【補正方法】変更
【補正の内容】
【特許請求の範囲】
【請求項１】
ゲームシステムのコンピュータに、
第１のオブジェクトと第２のオブジェクトとを画面内において移動させ、所定の基準位置で重なり合うように表示するとともに、重なり合う時点を基準としてその前の所定の時点から、前記第１のオブジェクト及び前記第２のオブジェクトの少なくとも一方を時間経過とともに変化するように表示部に表示させる表示ステップと、
前記画面内の任意の操作位置に対する操作を受け付ける受付ステップと、
前記操作位置と前記基準位置と、前記操作を受け付けたタイミングと前記基準位置で前記第１のオブジェクト及び前記第２のオブジェクトが重なり合うタイミングと、に基づいて評価を行う評価ステップと、
を実行させ、
前記表示ステップは、前記第１のオブジェクトと前記第２のオブジェクトとの画面内におけるそれぞれの表示開始位置から基準位置までの表示時間が同じとなるように、前記第１のオブジェクト及び前記第２のオブジェクトを移動させる、 
ゲームプログラム。
【手続補正書】
【提出日】平成31年2月19日(2019.2.19)
【手続補正１】
【補正対象書類名】特許請求の範囲
【補正対象項目名】全文
【補正方法】変更
【補正の内容】
【特許請求の範囲】
【請求項１】
複数種別の操作による入力を受け付けることが可能な受付部を備えるゲームシステムのコンピュータに、
シーケンスデータに基づいて、画面に表示させるオブジェクト及び所定領域との相対的な位置関係を変位させる出力制御ステップと、
前記受付部が入力を受け付けるステップと、
前記オブジェクトと前記所定領域との画面内の位置が一致する第１のタイミングと、前記受付部が入力を受け付けた第２のタイミングとに基づいて第１の成否判定を行うステップと、
第１の成否判定の判定結果が成功を示す場合、前記受付部が入力を受け付けた操作の種別に基づいて、前記オブジェクトまたは前記オブジェクトとは異なるオブジェクトを画面内の所定の方向に移動させるステップと、
を実行させるゲームプログラム。
【手続補正書】
【提出日】平成30年12月17日(2018.12.17)
【手続補正１】
【補正対象書類名】特許請求の範囲
【補正対象項目名】全文
【補正方法】変更
【補正の内容】
【特許請求の範囲】
【請求項１】
遊技者により操作可能な演出用操作部が設けられた前扉と、
遊技に関する所定の演出表示が行なわれる演出表示部と、
前記演出用操作部に対する操作に基づいて発光可能な操作対応発光部と、を備え、
前記演出用操作部は、遊技者による１回の操作である単操作を受け付けることが可能であり、該単操作の態様としては、受け付けた操作の内容に応じた複数の態様が設けられ、
前記演出表示部は、前記演出用操作部に対して単操作が行われることに基づいて所定の画像が表示されうるものであり、
前記操作対応発光部は、前記演出用操作部と前記演出表示部との間に配置される複数の発光体であって、
さらに、前記演出用操作部に対して行われた単操作の態様が複数の態様のうちの特別態様であった場合に、該特別態様に対応した特別発光制御で前記操作対応発光部を発光させる特別発光制御手段を備え、
単操作の態様のうちの前記特別態様は、前記演出用操作部に対する遊技者による１回の操作における操作検出期間が他の態様に比べて長い
ことを特徴とする遊技機。
【手続補正２】
【補正対象書類名】明細書
【補正対象項目名】０００３
【補正方法】削除
【補正の内容】
【手続補正３】
【補正対象書類名】明細書
【補正対象項目名】０００４
【補正方法】削除
【補正の内容】
【手続補正４】
【補正対象書類名】明細書
【補正対象項目名】０００５
【補正方法】削除
【補正の内容】
【手続補正５】
【補正対象書類名】明細書
【補正対象項目名】０００６
【補正方法】削除
【補正の内容】
【手続補正６】
【補正対象書類名】明細書
【補正対象項目名】０００７
【補正方法】削除
【補正の内容】
【手続補正７】
【補正対象書類名】明細書
【補正対象項目名】０００８
【補正方法】削除
【補正の内容】
【手続補正８】
【補正対象書類名】明細書
【補正対象項目名】０００９
【補正方法】変更
【補正の内容】
【０００９】
【特許文献１】特開２０１１−１２５３７３号公報
【手続補正９】
【補正対象書類名】明細書
【補正対象項目名】００１０
【補正方法】変更
【補正の内容】
【００１０】
しかしながら、従来と同等の技術では、遊技興趣の低下を抑止することが困難であった。
【手続補正１０】
【補正対象書類名】明細書
【補正対象項目名】００１１
【補正方法】削除
【補正の内容】
【手続補正１１】
【補正対象書類名】明細書
【補正対象項目名】００１３
【補正方法】変更
【補正の内容】
【００１３】
本発明は、
遊技者により操作可能な演出用操作部が設けられた前扉と、
遊技に関する所定の演出表示が行なわれる演出表示部と、
前記演出用操作部に対する操作に基づいて発光可能な操作対応発光部と、を備え、
前記演出用操作部は、遊技者による１回の操作である単操作を受け付けることが可能であり、該単操作の態様としては、受け付けた操作の内容に応じた複数の態様が設けられ、
前記演出表示部は、前記演出用操作部に対して単操作が行われることに基づいて所定の画像が表示されうるものであり、
前記操作対応発光部は、前記演出用操作部と前記演出表示部との間に配置される複数の発光体であって、
さらに、前記演出用操作部に対して行われた単操作の態様が複数の態様のうちの特別態様であった場合に、該特別態様に対応した特別発光制御で前記操作対応発光部を発光させる特別発光制御手段を備え、
単操作の態様のうちの前記特別態様は、前記演出用操作部に対する遊技者による１回の操作における操作検出期間が他の態様に比べて長い
ことを特徴とする。
また、本発明とは別の発明として、以下の手段を参考的に開示する。
手段１：
遊技機において、
遊技者の操作によって遊技媒体が打ち込まれる遊技領域を有した遊技盤と、
該遊技盤を支持する本体枠と、
扉枠と、
遊技状態に応じて演出する演出情報を表示する第１表示装置を含む演出装置と、
前記演出を説明する情報を表示する第２表示装置と、
前記演出を説明する情報の表示態様を切り換える表示態様切り換え手段と、
を備えた遊技機において、
前記第１表示装置および前記第２表示装置は前記遊技機の所定の箇所に、遊技者から視認可能に配置され、
前記表示態様切り換え手段による切り換えによって、前記演出を説明する情報が停止表示と移動表示との間で切り換え可能とされていることを特徴とする。
【手続補正書】
【提出日】令和1年11月1日(2019.11.1)
【手続補正１】
【補正対象書類名】特許請求の範囲
【補正対象項目名】全文
【補正方法】変更
【補正の内容】
【特許請求の範囲】
【請求項１】
加圧室と、
前記加圧室内に配置された撹拌翼を備えた回転軸と、
前記加圧室と回転軸との間に配置され、加圧室内からの流体の漏れを防止するメカニカルシールと、
前記メカニカルシールに対する押さえ力を可変にできるメカニカルシールを押さえるメカニカルシール押さえ機構とを有し、
前記加圧室内が加圧されている間は、前記メカニカルシール押さえ機構による押さえ力を定常状態よりも高めることを特徴とする撹拌システム。
【請求項２】
前記加圧室に液体を供給する液体供給機構と、前記液体に加圧気体を供給する加圧気体供給機構と、減圧機構とを有することを特徴とする請求項１に記載の撹拌システム。
【請求項３】
加圧室と、
前記加圧室内に配置された撹拌翼を備えた回転軸と、
前記加圧室と回転軸との間に配置され、加圧室内からの流体の漏れを防止するメカニカルシールと、
前記メカニカルシールに対する押さえ力を可変にできるメカニカルシールを押さえるメカニカルシール押さえ機構とを有する撹拌システムの運転方法であって、
前記加圧室内が加圧されている間は、前記メカニカルシール押さえ機構による押さえ力を定常状態よりも高めることを特徴とする撹拌システムの運転方法。
【請求項４】
前記加圧室に流体を供給して供給する液体供給機構と、前記液体に加圧気体を供給する加圧気体供給機構と、減圧機構とを有し、前記加圧気体供給機構によって加圧気体を供給するに際して前記メカニカルシール押さえ機構による押さえ力を高め、減圧機構による減圧後、前記メカニカルシール押さえ機構による押さえ力を定常状態にすることを特徴とする請求項３に記載の撹拌システムの運転方法。
【手続補正書】
【提出日】平成31年1月21日(2019.1.21)
【手続補正１】
【補正対象書類名】特許請求の範囲
【補正対象項目名】全文
【補正方法】変更
【補正の内容】
【特許請求の範囲】
【請求項１】
プレイヤに対して抽選により選択肢を選択する抽選部と、
前記抽選部により選択された選択肢と前記プレイヤとの関連付けを行う関連付け部と、
前記関連付け部により関連付けが行われた後の選択肢が他のプレイヤに対して選択された場合に、前記プレイヤに対して関連付け対応報酬を付与する関連付け対応報酬付与部と、
を備える抽選ゲームシステム。
【請求項２】
前記抽選部により選択された選択肢に基づいて前記プレイヤに抽選対応報酬を付与する抽選対応報酬付与部をさらに備える、
請求項１に記載の抽選ゲームシステム。
【請求項３】
前記関連付け部は、
所定の関連付け許可条件が成立した場合に、前記抽選部により選択された選択肢を、前記プレイヤに関連付ける、
請求項１又は２に記載の抽選ゲームシステム。
【請求項４】
前記抽選部は、
二以上のプレイヤのためにそれぞれ選択肢を選択する抽選を行うことが可能であり、
前記関連付け部は、前記抽選部により選択された選択肢に既に関連付けられているプレイヤの数が所定未満であることを前記関連付け許可条件の少なくとも一つとする、
請求項３に記載の抽選ゲームシステム。
【請求項５】
前記プレイヤの識別情報を取得する識別情報取得部をさらに有し、
前記関連付け部は、前記識別情報取得部にて前記プレイヤの識別情報を取得していることを前記関連付け許可条件の少なくとも一つとする、
請求項３又は４に記載の抽選ゲームシステム。
【請求項６】
所定の解除条件が成立したことに応じて、前記関連付け部により行われた関連付けの全て又は一部について解除を行う関連付け解除部をさらに備える、
請求項１から５のいずれか一項に記載の抽選ゲームシステム。
【請求項７】
前記解除条件は、
前記抽選部により特定の選択肢が選択されることである
請求項６に記載の抽選ゲームシステム。
【請求項８】
前記選択肢の少なくとも一部は変動型報酬に対応し、
前記変動型報酬に対応する選択肢が前記抽選部により選択された場合に、前記変動型報酬を前記プレイヤに付与すると同時に前記変動型報酬の値を所定の初期値に戻す抽選対応報酬付与部をさらに備え、
前記関連付け解除部は、前記変動型報酬の値が前記初期値に戻されることを前記解除条件の少なくとも一つとする、
請求項７に記載の抽選ゲームシステム。
【請求項９】
コンピュータを、請求項１から８のいずれか一項に記載の抽選ゲームシステムとして機能させるためのプログラム。
【手続補正書】
【提出日】平成31年3月22日(2019.3.22)
【手続補正１】
【補正対象書類名】特許請求の範囲
【補正対象項目名】全文
【補正方法】変更
【補正の内容】
【特許請求の範囲】
【請求項１】
スタートスイッチの操作に基づき、特定当選役と他の当選役が重複した当選種別であり所定の正解操作態様による操作が前記特定当選役の入賞条件として設定された選択当選種別を含む複数種類の当選種別のいずれかを当選種別抽選により決定する当選種別抽選手段と、
前記スタートスイッチの操作に基づき、複数種類の図柄がそれぞれ配列された複数のリールを回転制御し、回転しているリールに対応するストップスイッチの操作に応じ、前記当選種別抽選手段の抽選結果に基づいて、操作された前記ストップスイッチに対応するリールをそれぞれ停止制御するリール制御手段と、
前記選択当選種別の当選時に前記正解操作態様を報知する補助演出を実行する補助演出報知手段と、
を備え、
前記補助演出報知手段は、
前記選択当選種別の当選時に、前記選択当選種別が当選したことを報知する演出を行い、
前記選択当選種別以外の、前記特定当選役が重複した当選種別の当選時に、前記特定当選種別が当選したかのようなフェイク演出を行う遊技機。
【手続補正２】
【補正対象書類名】明細書
【補正対象項目名】０００９
【補正方法】変更
【補正の内容】
【０００９】
上記課題を解決するために、本発明の遊技機は、スタートスイッチの操作に基づき、特定当選役と他の当選役が重複した当選種別であり所定の正解操作態様による操作が前記特定当選役の入賞条件として設定された選択当選種別を含む複数種類の当選種別のいずれかを当選種別抽選により決定する当選種別抽選手段と、前記スタートスイッチの操作に基づき、複数種類の図柄がそれぞれ配列された複数のリールを回転制御し、回転しているリールに対応するストップスイッチの操作に応じ、前記当選種別抽選手段の抽選結果に基づいて、操作された前記ストップスイッチに対応するリールをそれぞれ停止制御するリール制御手段と、前記選択当選種別の当選時に前記正解操作態様を報知する補助演出を実行する補助演出報知手段と、を備え、前記補助演出報知手段は、前記選択当選種別の当選時に、前記選択当選種別が当選したことを報知する演出を行い、前記選択当選種別以外の、前記特定当選役が重複した当選種別の当選時に、前記選択当選種別が当選したかのようなフェイク演出を行う。
【手続補正３】
【補正対象書類名】明細書
【補正対象項目名】００１０
【補正方法】削除
【補正の内容】
【手続補正４】
【補正対象書類名】明細書
【補正対象項目名】００１１
【補正方法】削除
【補正の内容】
【手続補正５】
【補正対象書類名】明細書
【補正対象項目名】００１２
【補正方法】削除
【補正の内容】
【手続補正６】
【補正対象書類名】明細書
【補正対象項目名】００１３
【補正方法】削除
【補正の内容】
【手続補正書】
【提出日】平成31年3月22日(2019.3.22)
【手続補正１】
【補正対象書類名】特許請求の範囲
【補正対象項目名】全文
【補正方法】変更
【補正の内容】
【特許請求の範囲】
【請求項１】
スタートスイッチの操作に基づき、選択当選役と他の当選役が重複した当選種別であり所定の正解操作態様による操作が前記選択当選役の入賞条件として設定された選択当選種別を含む複数種類の当選種別のいずれかを当選種別抽選により決定する当選種別抽選手段と、
前記スタートスイッチの操作に基づき、複数種類の図柄がそれぞれ配列された複数のリールを回転制御し、回転しているリールに対応するストップスイッチの操作に応じ、前記当選種別抽選手段の抽選結果に基づいて、操作された前記ストップスイッチに対応するリールをそれぞれ停止制御するリール制御手段と、
複数種類の演出のいずれかを実行する演出制御手段と、
特定遊技状態、および、ボーナス遊技状態を含む複数種類の遊技状態のいずれかに移行させる遊技状態制御手段と、
特定演出状態を含む複数種類の演出状態のいずれかに移行させる演出状態制御手段と、
を備え、
前記遊技状態制御手段は、少なくとも、ボーナス役を含み設定により当選確率が異なる当選種別に基づく前記ボーナス遊技状態が終了すると遊技状態を特定遊技状態に移行し、
前記演出状態制御手段は、前記特定演出状態において前記特定遊技状態となると特定の遊技利益を決定することを特徴とする遊技機。
【請求項２】
前記複数種類の演出状態には、前記選択当選種別の当選時に前記正解操作態様を報知する補助演出を前記演出制御手段に実行させるＡＴ演出状態を含み、
前記特定演出状態では、前記ＡＴ演出状態への移行を決定する抽選が行われ、
前記演出状態制御手段は、前記特定演出状態において前記ボーナス役を含む当選種別に当選した場合、前記ボーナス役に基づくボーナス遊技状態の終了後、前記演出状態を前記特定演出状態に戻し、前記特定演出状態であり、かつ、前記特定遊技状態となることで特定の遊技利益を決定することを特徴とする請求項１に記載の遊技機。
【請求項３】
前記遊技状態制御手段は、ボーナス役を含み、設定値により当選確率が異なる当選種別、および、前記ボーナス役と同一のボーナス役を含み、設定値に拘わらず当選確率が等しい当選種別に基づく前記ボーナス遊技状態が終了すると遊技状態を特定遊技状態に移行することを特徴とする請求項１または２に記載の遊技機。
【請求項４】
スタートスイッチの操作に基づき、選択当選役と他の当選役が重複した当選種別であり所定の正解操作態様による操作が前記選択当選役の入賞条件として設定された選択当選種別を含む複数種類の当選種別のいずれかを当選種別抽選により決定する当選種別抽選手段と、
前記スタートスイッチの操作に基づき、複数種類の図柄がそれぞれ配列された複数のリールを回転制御し、回転しているリールに対応するストップスイッチの操作に応じ、前記当選種別抽選手段の抽選結果に基づいて、操作された前記ストップスイッチに対応するリールをそれぞれ停止制御するリール制御手段と、
前記選択当選種別の当選時に前記正解操作態様を報知する補助演出を実行する補助演出報知手段と、
前記補助演出を前記補助演出報知手段に実行させるＡＴ演出状態を含む有利状態を含む複数種類の演出状態のいずれかに移行する演出状態制御手段と、
ボーナス役の入賞によって移行するボーナス遊技状態、前記ボーナス遊技状態終了後に移行する第１ＲＴ遊技状態、前記１ＲＴ遊技状態において所定の条件を満たすと移行する第２ＲＴ遊技状態を含む複数種類の遊技状態のいずれかに移行させる状態制御手段と、
を備え、
前記有利状態かつ前記第１ＲＴ遊技状態に滞在する場合と、前記有利状態かつ前記第２ＲＴ遊技状態に滞在する場合とでは、補助演出に係る処理を決定する確率が異なる遊技機。
【手続補正２】
【補正対象書類名】明細書
【補正対象項目名】００１２
【補正方法】変更
【補正の内容】
【００１２】
上記課題を解決するために、本発明の他の遊技機は、スタートスイッチの操作に基づき、選択当選役と他の当選役が重複した当選種別であり所定の正解操作態様による操作が前記選択当選役の入賞条件として設定された選択当選種別を含む複数種類の当選種別のいずれかを当選種別抽選により決定する当選種別抽選手段と、前記スタートスイッチの操作に基づき、複数種類の図柄がそれぞれ配列された複数のリールを回転制御し、回転しているリールに対応するストップスイッチの操作に応じ、前記当選種別抽選手段の抽選結果に基づいて、操作された前記ストップスイッチに対応するリールをそれぞれ停止制御するリール制御手段と、前記選択当選種別の当選時に前記正解操作態様を報知する補助演出を実行する補助演出報知手段と、前記補助演出を前記補助演出報知手段に実行させるＡＴ演出状態を含む有利状態を含む複数種類の演出状態のいずれかに移行する演出状態制御手段と、ボーナス役の入賞によって移行するボーナス遊技状態、前記ボーナス遊技状態終了後に移行する第１ＲＴ遊技状態、前記１ＲＴ遊技状態において所定の条件を満たすと移行する第２ＲＴ遊技状態を含む複数種類の遊技状態のいずれかに移行させる状態制御手段と、を備え、前記有利状態かつ前記第１ＲＴ遊技状態に滞在する場合と、前記有利状態かつ前記第２ＲＴ遊技状態に滞在する場合とでは、補助演出に係る処理を決定する確率が異なる。
【手続補正３】
【補正対象書類名】明細書
【補正対象項目名】００１３
【補正方法】削除
【補正の内容】
【手続補正書】
【提出日】平成30年12月3日(2018.12.3)
【手続補正１】
【補正対象書類名】特許請求の範囲
【補正対象項目名】請求項１
【補正方法】変更
【補正の内容】
【請求項１】
載置部に載置された記録材を給送する給送部材と、
前記給送部材によって給送された記録材を搬送する第１の搬送部材と、
前記第１の搬送部材とニップ部を形成し、前記ニップ部において複数の記録材を分離する分離部材と、
前記第１の搬送部材によって搬送された記録材を搬送する第２の搬送部材と、を有する給送装置において、
前記給送部材による給送動作を制御して、前記載置部に載置された第１の記録材を給送させ、前記第１の記録材の後端が前記ニップ部を通過する前に、前記第１の記録材の次に給送される第２の記録材が前記第１の記録材と一部重なった状態で、前記第２の記録材の先端が前記ニップ部を通過するように、前記載置部に載置された前記第２の記録材を給送させ、
前記第２の記録材の先端が前記ニップ部を通過して前記第２の記録材の先端が前記第２の搬送部材に到達する前に、前記第１の記録材の後端と前記第２の記録材の先端が離れるように、前記給送部材と前記第１の搬送部材による前記第２の記録材の給送動作を停止させ、前記第２の搬送部材によって前記第１の記録材を搬送させる制御手段を有することを特徴とする給送装置。
【手続補正２】
【補正対象書類名】明細書
【補正対象項目名】０００６
【補正方法】変更
【補正の内容】
【０００６】
上記の目的を達成するための本発明の給送装置は、載置部に載置された記録材を給送する給送部材と、前記給送部材によって給送された記録材を搬送する第１の搬送部材と、前記第１の搬送部材とニップ部を形成し、前記ニップ部において複数の記録材を分離する分離部材と、前記第１の搬送部材によって搬送された記録材を搬送する第２の搬送部材と、を有する給送装置において、前記給送部材による給送動作を制御して、前記載置部に載置された第１の記録材を給送させ、前記第１の記録材の後端が前記ニップ部を通過する前に、前記第１の記録材の次に給送される第２の記録材が前記第１の記録材と一部重なった状態で、前記第２の記録材の先端が前記ニップ部を通過するように、前記載置部に載置された前記第２の記録材を給送させ、前記第２の記録材の先端が前記ニップ部を通過して前記第２の記録材の先端が前記第２の搬送部材に到達する前に、前記第１の記録材の後端と前記第２の記録材の先端が離れるように、前記給送部材と前記第１の搬送部材による前記第２の記録材の給送動作を停止させ、前記第２の搬送部材によって前記第１の記録材を搬送させる制御手段を有することを特徴とする。
【手続補正書】
【提出日】平成30年11月8日(2018.11.8)
【手続補正１】
【補正対象書類名】特許請求の範囲
【補正対象項目名】全文
【補正方法】変更
【補正の内容】
【特許請求の範囲】
【請求項１】
車両が物流拠点外に位置する場合、
前記物流拠点内に滞在する運搬車両数の混雑度合いを判定する物流拠点管理装置へ前記車両の位置情報を送信するステップと、
前記物流拠点管理装置から前記物流拠点内に滞在する運搬車両数の混雑度合いに関する情報を受信するステップと
をコンピュータに実行させるプログラム。
【請求項２】
車両が物流拠点内に位置する場合、
前記車両内の可搬端末へ運搬車両を誘導する誘導情報を送信する手段を備えた物流拠点管理装置から前記誘導情報を受信するステップと、
前記誘導情報を前記車両内の運転手へ報知するステップと
をコンピュータに実行させるプログラム。
【手続補正２】
【補正対象書類名】明細書
【補正対象項目名】発明の名称
【補正方法】変更
【補正の内容】
【発明の名称】プログラム
【手続補正書】
【提出日】平成30年11月9日(2018.11.9)
【手続補正１】
【補正対象書類名】特許請求の範囲
【補正対象項目名】全文
【補正方法】変更
【補正の内容】
【特許請求の範囲】
【請求項１】
式Vの化合物、又はその薬学的に許容可能な塩若しくはエステル。
【化１】
2018188432.tif 000001
【請求項２】
前記塩が、塩酸塩、臭化水素酸塩、ヨウ化水素酸塩、硫酸塩、硝酸塩、リン酸塩、酢酸塩、トリフルオロ酢酸塩、マレイン酸塩、フマル酸塩、クエン酸塩、シュウ酸塩、コハク酸塩、酒石酸塩、リンゴ酸塩、マンデル酸塩、メタンスルホン酸塩、p-トルエンスルホン酸塩、ナトリウム、カリウム、カルシウム、アンモニウム、エチレンジアミン、エタノールアミン、N,N-ジアルキレンエタノールアミン、トリエタノールアミン及び塩基性アミノ酸から選択される、請求項1に記載の化合物。
【請求項３】
式VIの化合物、又はその薬学的に許容可能な塩若しくはエステル。
【化２】
2018188432.tif 000002
【請求項４】
前記塩が、塩酸塩、臭化水素酸塩、ヨウ化水素酸塩、硫酸塩、硝酸塩、リン酸塩、酢酸塩、トリフルオロ酢酸塩、マレイン酸塩、フマル酸塩、クエン酸塩、シュウ酸塩、コハク酸塩、酒石酸塩、リンゴ酸塩、マンデル酸塩、メタンスルホン酸塩、p-トルエンスルホン酸塩、ナトリウム、カリウム、カルシウム、アンモニウム、エチレンジアミン、エタノールアミン、N,N-ジアルキレンエタノールアミン、トリエタノールアミン及び塩基性アミノ酸から選択される、請求項3に記載の化合物。
【請求項５】
請求項1から4のいずれか一項に記載の化合物又はその薬学的に許容可能な塩若しくはエステル、及び薬学的に許容可能な担体を含む、医薬組成物。
【請求項６】
請求項5に記載の医薬組成物を含む剤形。
【請求項７】
請求項1から4のいずれか一項に記載の化合物又はその薬学的に許容可能な塩若しくはエステル、請求項5に記載の組成物、又は請求項6に記載の剤形を含む医薬。
【請求項８】
がんの治療用の、請求項７に記載の医薬。
【請求項９】
前記がんが、非小細胞肺がん及び小細胞肺がんを含む肺がん、結腸がん、乳がん、膵臓がん、肉腫、卵巣がん、前立腺がん並びに胃がんから選択される、請求項8に記載の医薬。
【請求項１０】
前記がんが、非小細胞肺がん及び小細胞肺がんを含む肺がん、乳がん、膵臓がん並びに大腸がんから選択される、請求項9に記載の医薬。
【請求項１１】
がんの治療用の医薬の製造における、請求項1から4のいずれか一項に記載の化合物又はその薬学的に許容可能な塩若しくはエステル、請求項5に記載の組成物、又は請求項6に記載の剤形の使用。
【請求項１２】
前記がんが、非小細胞肺がん及び小細胞肺がんを含む肺がん、結腸がん、乳がん、膵臓がん、肉腫、卵巣がん、前立腺がん並びに胃がんから選択される、請求項11に記載の使用。
【請求項１３】
前記がんが、非小細胞肺がん及び小細胞肺がんを含む肺がん、乳がん、膵臓がん、並びに大腸がんから選択される、請求項12に記載の使用。
【請求項１４】
請求項1に記載の式Vの化合物又はその薬学的に許容可能な塩若しくはエステルを得る方法であって、
式IIの化合物を式IIIの化合物と反応させて、式IVの化合物を生成する工程
【化３】
2018188432.tif 000003
[式中、
Xは-O-であり、
R2はアセチルであり、
R3は水素であり、
R4は-CH2OHである]
を含む方法。
【請求項１５】
式IVの化合物中のシアノ基をヒドロキシ基で置き換えて式Vの化合物を生成する更なる工程を含む、請求項14に記載の方法。
【請求項１６】
請求項3に記載の式VIの化合物又はその薬学的に許容可能な塩若しくはエステルを得る方法であって、
式IIの化合物を式IIIの化合物と反応させて、式IVの化合物を生成する工程
【化４】
2018188432.tif 000004
[式中、
Xは-O-であり、
R2はアセチルであり、
R3は水素であり、
R4は水素である]
を含む方法。
【請求項１７】
式IVの化合物中のシアノ基をヒドロキシ基で置き換えて式VIの化合物を生成する更なる工程を含む、請求項16に記載の方法。
【請求項１８】
治療有効量の請求項1から4のいずれか一項に記載の化合物及び薬学的に許容可能な担体を含む、キット。
【請求項１９】
がん、更に好ましくは非小細胞肺がん及び小細胞肺がんを含む肺がん、結腸がん、乳がん、膵臓がん、肉腫、卵巣がん、前立腺がん並びに胃がんから選択されるがんの治療における前記化合物の使用説明書を更に含む、請求項18に記載のキット。
【手続補正書】
【提出日】平成30年11月12日(2018.11.12)
【手続補正１】
【補正対象書類名】特許請求の範囲
【補正対象項目名】全文
【補正方法】変更
【補正の内容】
【特許請求の範囲】
【請求項１】
半可塑性医薬投与単位の製造方法であって、前記半可塑性医薬投与単位が、少なくとも１種の有効医薬成分とポリエチレングリコール成型剤を含む経口投与用のソフトチュアブル動物用医薬製品であり、
ａ）前記少なくとも１種の有効医薬成分を、乾燥成分及び液体成分と混合してプレミックスを調製する工程、
ｂ）ポリエチレングリコール成形剤を溶解するまで加熱する工程、
ｃ）前記プレミックスと前記ポリエチレングリコール成形剤を共に混合して生地を成形する工程、
ｄ）前記生地を回転型成型機に接続された容器に入れる工程、及び
ｅ）回転型成型機において半可塑性医薬投与単位を成形する工程、
を含み、ここで、前記液体成分が油を含み、工程ｄ）における生地の温度が約３５℃から約４５℃である、前記製造方法。
【請求項２】
上記回転型成型機が凹エッジを有する成形金型を含む、請求項１に記載の製造方法。
【請求項３】
全ての成分が医薬品グレードである、請求項１に記載の製造方法。
【請求項４】
前記有効医薬成分が抗寄生虫薬である、請求項１に記載の製造方法。
【請求項５】
前記有効医薬成分がイソオキサゾリン化合物である、請求項１に記載の製造方法。
【請求項６】
前記有効医薬成分が、４−［５−（３，５−ジクロロフェニル）−５−トリフルオロメチル−４，５−ジヒドロイソオキサゾール−３−イル］−２−メチル−Ｎ−［（２，２，２−トリフルオロ−エチルカルバモイル）−メチル］−ベンズアミドである、請求項５に記載の製造方法。
【請求項７】
前記乾燥成分がデンプン又はデンプン様材料である、請求項１に記載の製造方法。
【手続補正書】
【提出日】令和1年6月25日(2019.6.25)
【手続補正１】
【補正対象書類名】特許請求の範囲
【補正対象項目名】全文
【補正方法】変更
【補正の内容】
【特許請求の範囲】
【請求項１】
イソシアネート基含有ウレタンプレポリマー（ａ）およびアミン化合物（ｂ）の反応物であるウレタンウレア樹脂（Ａ）１００質量部に対して、イソシアネート硬化剤（Ｂ）を３質量部を超え２０質量部以下含み、
前記ウレタンウレア樹脂（Ａ）の分子量分散度が１．５〜６であり、
６０℃−９０％ＲＨ２４時間後の粘着力が、１０００ｍＮ／２５ｍｍ以下である、
表面保護用粘着剤。
【請求項２】
前記ウレタンウレア樹脂（Ａ）の重量平均分子量が３０，０００〜２５０，０００である、請求項１記載の表面保護用粘着剤。
【請求項３】
さらに、可塑剤（Ｃ）を含む、請求項１または２に記載の表面保護用粘着剤。
【請求項４】
前記ウレタンウレア樹脂（Ａ）１００質量部に対して、前記可塑剤（Ｃ）を０．１〜１００質量部含む、請求項１〜３いずれか１項に記載の表面保護用粘着剤。
【請求項５】
さらに、酸化防止剤（Ｄ）を含む、請求項１〜４いずれか１項に記載の表面保護用粘着剤。
【請求項６】
さらに、帯電防止剤（Ｅ）を含む、請求項１〜５いずれか１項に記載の表面保護用粘着剤。
【請求項７】
基材、および請求項１〜６いずれか１項に記載の表面保護用粘着剤の硬化物である粘着層を備えた、粘着シート。
【手続補正書】
【提出日】平成31年4月9日(2019.4.9)
【手続補正１】
【補正対象書類名】明細書
【補正対象項目名】００２８
【補正方法】変更
【補正の内容】
【００２８】
図１において、ワーク回転機２２の回転軸をＯ−Ｏ’で示し、回転方向を矢印で示す。ワーク回転機２２の回転軸Ｏ−Ｏ’は、回転取付台２４とワーク保持治具２６を介して、ワーク６０の環状形状の中心軸に軸合わせされる。これにより、回転軸Ｏ−Ｏ’周りの回転方向は、レーザビーム３８に対するワーク６０の回転方向となり、ワーク６０に対するレーザビーム３８の走査方向となる。走査方向の上流側は、ワーク６０の回転方向の下流側に対応し、走査方向の下流側は、ワーク６０の回転方向の上流側に対応し、ワーク６０は、走査方向に沿って移動することになる。上流側回転軸Ｏ−Ｏ’は、ワーク回転機２２が設置される床面１２に平行に延びる。
【手続補正２】
【補正対象書類名】明細書
【補正対象項目名】００３０
【補正方法】変更
【補正の内容】
【００３０】
レーザ照射装置３０は、走査方向に沿って移動するワーク６０に対しレーザビーム３８を照射する装置である。レーザ照射装置３０は、ビーム照射部３２と、ロボットアーム３４と、レーザ照射制御部３６を含む。ビーム照射部３２は、レーザ発振器と、レーザ発振器が発するレーザ光を所定のビーム形状のレーザビーム３８に整形する光学系とを含む。レーザ発振器としては、レーザ焼入れに適したレーザ光を発する半導体レーザ発振器等を用いることができる。レーザビーム３８の所定の形状としては矩形形状を用いる。これに代えて、円形、あるいは楕円形状であってもよい。ロボットアーム３４は、レーザビーム３８の照射先をワーク６０の所定の照射領域６４（図２、図３参照）に位置合せする多軸ロボット機構である。レーザ照射制御部３６は、レーザビーム３８の照射エネルギの大きさ、照射のオンオフ等の制御を行う。
【手続補正３】
【補正対象書類名】明細書
【補正対象項目名】００３６
【補正方法】変更
【補正の内容】
【００３６】
図２、図３に、ワーク６０の中心軸（軸方向）、上下方向、及び走査方向を示す。図３において、ＯＯ’と示すワーク６０の中心軸は、図２においてＡ−Ａ線とＢ−Ｂ線とに対し直交する方向に延びる軸であり、中心軸ＯＯ’の延びる方向が軸方向である。上下方向は、Ａ−Ａ線に平行な方向である。走査方向は、中心軸ＯＯ’周りの周方向に沿った方向で、図２、図３の紙面上では、ワーク６０の回転方向を中心軸ＯＯ’周りに時計方向として、走査方向について、中心軸ＯＯ’周りに時計方向が上流側、反時計方向が下流側と示す。
【手続補正４】
【補正対象書類名】明細書
【補正対象項目名】００３７
【補正方法】変更
【補正の内容】
【００３７】
図１で述べたように、ワーク６０の軸方向は水平方向に平行な方向であり、レーザビーム３８は、ワーク６０の内周面６２の上下方向の最も下方側に照射される。図２、図３において、最も下方側の内周面６２とフランジ部６３とに跨って示す照射領域６４は、レーザビーム３８が照射される領域である。レーザビーム３８の照射方向は固定され、ワーク６０が走査方向に回転するので、図２のワーク６０の正面図においては、照射領域６４は時間の経過に関わらず固定位置である。したがって、ワーク６０が走査方向に沿って移動すると、レーザビーム３８によって局部的に加熱された領域は、走査方向の下流側に移動する。図２において、Ｐ０と示す位置が照射開始位置である。ワーク６０の走査方向に沿った位置を、中心軸ＯＯ’周りの角度である走査角度θで示し、ワーク６０の内周面６２における照射開始位置Ｐ０の走査角度θ＝０°とする。図２、図３の照射領域６４は、照射開始位置Ｐ０から、走査角度θ＝＋９０°の位置である。換言すれば、図２の状態は、照射開始の時点から、ワーク６０が、走査方向に沿って走査角度にしてΔθ＝＋９０°移動した状態を示している。
【手続補正５】
【補正対象書類名】明細書
【補正対象項目名】００４０
【補正方法】変更
【補正の内容】
【００４０】
これにより、冷却水４６は、冷却ノズル４４の開口の真下よりも走査方向に沿って下流側のワーク６０を冷却することになる。冷却水４６によって冷却される内周面６２及びフランジ部６３の領域が冷却領域６６である。ここで、走査方向において、既にレーザ照射が行われた側が下流側で、まだレーザ照射が行われていない側が上流側であるので、冷却領域６６は、ワーク６０におけるレーザビーム３８の照射領域６４よりも走査方向に沿って下流側に配置される。走査方向に沿って照射領域６４と冷却領域６６との間の領域は、レーザビーム３８の照射が行われたが冷却水４６の供給が行われていない緩衝領域６５である。
【手続補正６】
【補正対象書類名】明細書
【補正対象項目名】００４９
【補正方法】変更
【補正の内容】
【００４９】
次に、照射領域６４の下流側縁部ではレーザビーム３８の照射がなくなるので、ワーク６０の自己冷却によって表層部の温度が急激に低下する。
【手続補正７】
【補正対象書類名】明細書
【補正対象項目名】００５２
【補正方法】変更
【補正の内容】
【００５２】
図４（ｃ）は、特性線７０について、走査角度θと表層部の組織との関係を示す図である。（ｂ）で述べたように、照射領域６４よりも上流側ではレーザビーム３８の照射を受けず、表層部の温度は室温のままであるので、表層部の組織は、フェライトとパーライトとを含む。照射領域６４においては、表層部の温度はＡＦよりも高温のＴＬであるので、表層部の組織はオーステナイトである。冷却領域６６から照射開始位置の走査角度θ＝０°の間の領域では、表層部の温度がＭＦ以下の室温に急冷されているので、表層部の組織はマルテンサイトとなる。照射開始位置の走査角度θ＝０°よりも走査方向の下流側では、まだレーザ照射を受けていず、表層部の温度は室温であるので、表層部の組織は、フェライトとパーライトとを含む。照射領域６４と冷却領域６６との間の緩衝領域６５では、表層部の温度がＭＳ以上であるので表層部の組織はマルテンサイト化していない。この領域では、冷却の時間経過や冷却速度によって、パーライト変態やベイナイト変態が生じることがあるので、表層部の組織は、オーステナイトとパーライト等を含む過渡組織となる。
【手続補正８】
【補正対象書類名】図面
【補正対象項目名】図２
【補正方法】変更
【補正の内容】
【図２】
2018188678.tif 000001
【手続補正９】
【補正対象書類名】図面
【補正対象項目名】図３
【補正方法】変更
【補正の内容】
【図３】
2018188678.tif 000002
【手続補正１０】
【補正対象書類名】図面
【補正対象項目名】図４
【補正方法】変更
【補正の内容】
【図４】
2018188678.tif 000003
【手続補正書】
【提出日】令和1年8月5日(2019.8.5)
【手続補正１】
【補正対象書類名】特許請求の範囲
【補正対象項目名】全文
【補正方法】変更
【補正の内容】
【特許請求の範囲】
【請求項１】
ＴｉよりなるＴｉ原料粉末と、ＭｏよりなるＭｏ原料粉末と、ＮｉよりなるＮｉ原料粉末と、ＳｉＣ，ＴｉＣ，ＴｉＢ２，ＭｏＢより選ばれる少なくとも１種のセラミックス粉末と、のみから得られる焼結体よりなり、
全体を１００質量部としたときに、Ｎｉを０．１〜９質量部で含有するとともに、前記セラミックス粉末を１〜１５質量部で含有することを特徴とする金属基複合材。
【請求項２】
気孔率が０．５％以下である請求項１記載の金属基複合材。
【請求項３】
窒化処理が施されている請求項１又は２記載の金属基複合材。
【手続補正２】
【補正対象書類名】明細書
【補正対象項目名】０００６
【補正方法】変更
【補正の内容】
【０００６】
上記課題を解決する本発明の金属基複合材は、ＴｉよりなるＴｉ原料粉末と、ＭｏよりなるＭｏ原料粉末と、ＮｉよりなるＮｉ原料粉末と、ＳｉＣ，ＴｉＣ，ＴｉＢ２，ＭｏＢより選ばれる少なくとも１種のセラミックス粉末と、のみから得られる焼結体よりなり、全体を１００質量部としたときに、Ｎｉを０．１〜９質量部で含有するとともに、セラミックス粉末を１〜１５質量部で含有することを特徴とする。
本発明の金属基複合材によると、緻密な組織となることで、硬度（及び強度、耐摩耗性）が向上する。